(57)【要約】【課題】脚立の支柱に対して簡単に、かつ、高さ変更自在に取り付けることが可能な脚立サポートを提供する。【解決手段】脚立サポート３０は、サポート脚３１と、取付金具４０とを備えている。取付金具４０は、脚立１の支柱２０を挟む第１部材及び第２部材を備えている。第１部材及び第２部材を支柱２０に対して締め付けることにより、サポート脚３１を支柱２０に固定する。【選択図】図１
2020016034.tif 000002
【特許請求の範囲】
【請求項１】
脚立の支柱に取り付けられる脚立サポートにおいて、
前記脚立サポートは、上下方向に長く形成されて下部に接地部を有するサポート脚と、前記サポート脚の上部を前記支柱に取り付けるための取付金具とを備え、
前記取付金具は、前記支柱を長手方向と交差する方向から挟むように配置される第１部材及び第２部材と、前記第１部材及び前記第２部材を、前記支柱を挟む方向に締め付ける締め付け部材とを備えていることを特徴とする脚立サポート。
【請求項２】
請求項１に記載の脚立サポートにおいて、
前記第１部材は、前記支柱の幅方向一方から前記支柱の一側面に接触するように配置される第１接触板部と、前記第１接触板部から延出する第１被締め付け板部とを備え、
前記第２部材は、前記支柱の幅方向他方から前記支柱の他側面に接触するように配置される第２接触板部と、前記第２接触板部から延出する第２被締め付け板部とを備え、
前記締め付け部材は、前記第１被締め付け板部及び前記第２被締め付け板部を締め付けることを特徴とする脚立サポート。
【請求項３】
請求項２に記載の脚立サポートにおいて、
前記第１被締め付け板部は、前記支柱の一側面に対して傾斜するように延出しており、
前記第２被締め付け板部は、前記第１被締め付け板部に沿う方向に延びるように形成されていることを特徴とする脚立サポート。
【請求項４】
請求項１から３のいずれか１つに記載の脚立サポートにおいて、
前記取付金具には、前記サポート脚を上下方向に延びる軸回りに回動させる回動機構が設けられ、
前記回動機構は、前記サポート脚を、前記軸回りの回動角度が互いに異なる第１の回動位置と第２の回動位置とのそれぞれで固定する固定部材を備えていることを特徴とする脚立サポート。
【請求項５】
請求項１から４のいずれか１つに記載の脚立サポートにおいて、
前記取付金具には、前記サポート脚の上部が差し込まれる凹部が下方に開放するように形成されていることを特徴とする脚立サポート。
【請求項６】
請求項１から５のいずれか１つに記載の脚立サポートにおいて、
前記サポート脚の長手方向中間部に設けられるブラケットと、
前記ブラケットを前記サポート脚に固定するためのロックピンと、
前記ブラケットに連結されて前記支柱まで延び、該支柱に連結される開き止めシャフトとを備えていることを特徴とする脚立サポート。
【発明の詳細な説明】
【技術分野】
【０００１】
本発明は、脚立の倒れを抑制する脚立サポートに関する。
【背景技術】
【０００２】
従来より、高所作業を行う際に脚立が使用されている。脚立は使用中に倒れるおそれがあり、この脚立の倒れを抑制するための脚立サポートが知られている（例えば、特許文献１参照）。
【０００３】
特許文献１の脚立サポートは、脚立の左右両側にそれぞれ設けられており、ブラケットを介して脚立の支柱に取り付けられる脚本体と、伸縮脚部材とを備えている。ブラケットは、脚立の支柱に対して複数組のボルト及びナットにより締結されている。このブラケットに対して脚本体の上端部が回動ボルトを介して取り付けられている。従って、脚立サポートの脚本体は回動ボルト回りに回動することにより、使用可能状態と、格納状態とに切り替えられるようになっている。
【先行技術文献】
【特許文献】
【０００４】
【特許文献１】特開２０１７−３６６２５号公報
【発明の概要】
【発明が解決しようとする課題】
【０００５】
ところで、特許文献１の脚立サポートは、脚立への取付のためにブラケットを使用している。このブラケットは、複数組のボルト及びナットによって脚立の支柱に締結されるようになっているので、支柱にはボルトが通る貫通孔を形成しなければならず、取付作業が煩雑であり、簡単に取り付けることができない。
【０００６】
また、特許文献１では、ブラケットを締結するためのボルトが通る貫通孔を支柱に形成してしまうと、その貫通孔の位置に脚立サポートを取り付けることになるので、脚立サポートの高さが決まることになる。従って、例えば作業現場の状況に応じて脚立サポートの高さを変更したい場合には、対応することができない。脚立サポートの高さを変更しようとすると、支柱に新たに貫通孔を形成しなければならず、作業が煩雑であるとともに、支柱の強度が低下してしまうおそれもある。
【０００７】
本発明は、かかる点に鑑みてなされたものであり、その目的とするところは、脚立の支柱に対して簡単に、かつ、高さ変更自在に取り付けることが可能な脚立サポートを提供することにある。
【課題を解決するための手段】
【０００８】
上記目的を達成するために、第１の発明は、脚立の支柱に取り付けられる脚立サポートにおいて、前記脚立サポートは、上下方向に長く形成されて下部に接地部を有するサポート脚と、前記サポート脚の上部を前記支柱に取り付けるための取付金具とを備え、前記取付金具は、前記支柱を長手方向と交差する方向から挟むように配置される第１部材及び第２部材と、前記第１部材及び前記第２部材を、前記支柱を挟む方向に締め付ける締め付け部材とを備えていることを特徴とする。
【０００９】
この構成によれば、取付金具の第１部材及び第２部材を、支柱を挟むように配置した後、締め付け部材によって締め付けることにより、第１部材及び第２部材が支柱を挟むようにして支柱に固定され、これにより、サポート脚が支柱に取り付けられることになる。そして、脚立の使用時にサポート脚の接地部が地面や床面等に接触することで、脚立が安定し、脚立の倒れが抑制される。従って、本発明によれば、従来例のように脚立の支柱にボルトを通すための貫通孔を形成する必要はなく、支柱への取付作業が簡単になる。また、サポート脚の高さを変更する場合には、締め付け部材による締め付け力を緩めることで、取付金具を支柱の長手方向に簡単に移動させることができ、これにより、サポート脚の高さを簡単に変更できる。
【００１０】
第２の発明は、前記第１部材は、前記支柱の幅方向一方から前記支柱の一側面に接触するように配置される第１接触板部と、前記第１接触板部から延出する第１被締め付け板部とを備え、前記第２部材は、前記支柱の幅方向他方から前記支柱の他側面に接触するように配置される第２接触板部と、前記第２接触板部から延出する第２被締め付け板部とを備え、前記締め付け部材は、前記第１被締め付け板部及び前記第２被締め付け板部を締め付けることを特徴とする。
【００１１】
この構成によれば、取付金具を構成している第１部材の第１接触板部が支柱の一側面に接触し、第２部材の第２接触板部が支柱の他側面に接触するように配置される。そして、第１被締め付け板部及び第２被締め付け板部を締め付け部材によって締め付けることで、第１接触板部及び第２接触板部が支柱を幅方向に挟み、これにより、取付金具が支柱に固定されることになる。
【００１２】
第３の発明は、前記第１被締め付け板部は、前記支柱の一側面に対して傾斜するように延出しており、前記第２被締め付け板部は、前記第１被締め付け板部に沿う方向に延びるように形成されていることを特徴とする。
【００１３】
この構成によれば、支柱の一側面に対して傾斜するように配置された第１被締め付け板部と第２被締め付け板部とを締め付けることで、第１接触板部及び第２接触板部によって支柱を幅方向に挟むことができる。
【００１４】
第４の発明は、前記取付金具には、前記サポート脚を上下方向に延びる軸回りに回動させる回動機構が設けられ、前記回動機構は、前記サポート脚を、前記軸回りの回動角度が互いに異なる第１の回動位置と第２の回動位置とのそれぞれで固定する固定部材を備えていることを特徴とする。
【００１５】
この構成によれば、サポート脚を上下方向に延びる軸回りに回動させることで、作業状況や作業場所に応じてサポート脚の位置を変更することが可能になる。そして、サポート脚が第１の回動位置にある場合と、第２の回動位置にある場合とのそれぞれでサポート脚を固定することができるので、安全性を高めることができる。
【００１６】
第５の発明は、前記取付金具には、前記サポート脚の上部が差し込まれる凹部が下方に開放するように形成されていることを特徴とする。
【００１７】
この構成によれば、サポート脚の上部を取付金具の凹部に下方から差し込むことで、使用時に作用する荷重により、サポート脚の上部が凹部から抜けなくなり、サポート脚を取付金具に対して確実に固定することができる。
【００１８】
第６の発明は、前記サポート脚の長手方向中間部に設けられるブラケットと、前記ブラケットを前記サポート脚に固定するためのロックピンと、前記ブラケットに連結されて前記支柱まで延び、該支柱に連結される開き止めシャフトとを備えていることを特徴とする。
【００１９】
この構成によれば、ブラケットをロックピンでサポート脚に固定した状態で、ブラケットと支柱とが開き止めシャフトによって連結された状態になる。これにより、サポート脚が所定以上開いてしまうのを防止することができるので、安全性が高まる。
【発明の効果】
【００２０】
本発明によれば、取付金具が、支柱を挟むように配置される第１部材及び第２部材と、これらを締め付ける締め付け部材とを備えているので、脚立サポートを脚立の支柱に対して簡単に、かつ、高さ変更自在に取り付けることができる。
【図面の簡単な説明】
【００２１】
【図１】本発明の実施形態に係る脚立サポートが取り付けられた脚立の斜視図である。
【図２】脚立サポートが取り付けられた脚立の平面図である。
【図３】使用可能状態にある脚立サポートと支柱の一部を示す側面図である。
【図４】格納状態にある脚立サポートと支柱の一部を示す側面図である。
【図５】図３のＡ部拡大図である。
【図６】図５のVI−VI線断面図である。
【図７】固定金具の第２部材の側面図である。
【図８】回動部材の平面図である。
【図９】図３のＢ部拡大図である。
【図１０】図３のX−X線断面図である。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
図１は、本発明の実施形態に係る脚立サポート３０、３０が取り付けられた脚立１の斜視図である。まず、脚立サポート３０、３０が取り付けられる脚立１の構造について説明する。脚立１は、従来から高所作業時に使用されるものであり、その構造は一般的に知られたものである。すなわち、脚立１は、一対の脚体２、２と、脚体２、２を回動可能に連結する連結軸３と、開き止め金具４とを備えている。一対の脚体２、２は同じものであり、各脚体２は、一対の支柱２０、２０と、複数の踏桟２１とで構成されている。一対の支柱２０、２０は互いに平行となるように配置されて水平方向に延びる踏桟２１によって連結され、支柱２０、２０と踏桟２１とが一体化されている。図１において支柱２０、２０の下端部が接地部とされており、例えば作業現場の地面や床面に接地する。連結軸３は、脚体２、２の一端部（図１における上端部）同士を連結するものであり、水平方向に延びている。開き止め金具４は、脚体２、２が所定角度以上開くのを防止するための部材であり、一方の脚体２の支柱２０と、他方の脚体２の支柱２０とを連結可能に構成されている。開き止め金具４による支柱２０、２０の連結状態を解除することで、脚体２、２を自由に開くことができるようになる。
【００２４】
（支柱２０の構成）
脚立２の支柱２０は、例えばアルミニウム合金製の押出成形部材からなる。図６に示すように、支柱２０は、幅方向に延びる底板部２０ａと、底板部２０ａの両縁部からそれぞれ立ち上がる第１側板部２０ｂ及び第２側板部２０ｃとを有している。第１側板部２０ｂ及び第２側板部２０ｃは、底板部２０ａとのなす角度が略直角となるように形成されており、第１側板部２０ｂと第２側板部２０ｃとが略平行になっている。第１側板部２０ｂの外面は、第２側板部２０ｃとの対向面とは反対側の面であり、また、第２側板部２０ｃの外面は、第１側板部２０ｂとの対向面とは反対側の面である。第１側板部２０ｂと第２側板部２０ｃの基端側は、底板部２０ａ側であり、また、第１側板部２０ｂと第２側板部２０ｃの先端側は、底板部２０ａ側とは反対側である。
【００２５】
（脚立サポート３０の構成）
図１や図２に示すように、脚立サポート３０は、脚立１の支柱２０に取り付けられて使用され、脚立１の倒れを抑制するためのものである。尚、脚立サポート３０は、図示しないが、はしごに取り付けて使用することもできる。この実施形態では、脚立１の一方の脚体２に２つの脚立サポート３０、３０を取り付ける場合について説明するが、脚立１の使用状態に応じて一方の脚体２に１つの脚立サポート３０を取り付けるようにしてもよい。また、両方の脚体２に脚立サポート３０を取り付けて使用することもできる。
【００２６】
脚立サポート３０は、サポート脚３１と、ブラケット５１と、開き止めシャフト５３と、上側取付金具４０と、下側取付金具６０とを備えている。サポート脚３１は、支柱２０と同様な棒状の部材で構成されており、図１〜図３に示す使用可能状態で上下方向に延びる姿勢とされる。以下、「上」とは、使用可能状態で上になる側をいい、「下」とは、使用可能状態で下になる側をいうものとする。
【００２７】
図４に示すように、サポート脚３１の上部には、連結部３１ａが設けられている。連結部３１ａは、上側へ向かって尖るような形状とされている。サポート脚３１の連結部３１ａには、上端貫通孔３１ｂが形成されている。サポート脚３１の上端貫通孔３１ｂよりも下側には、図３に示す中間上部貫通孔３１ｃが形成されている。サポート脚３１の中間上部貫通孔３１ｃよりも下側には、図４に示す中間下部貫通孔３１ｄが形成されている。サポート脚３１の中間下部貫通孔３１ｄよりも下側には、図３に示す下部貫通孔３１ｅが形成されている。上端貫通孔３１ｂ、中間上部貫通孔３１ｃ、中間下部貫通孔３１ｄ及び下部貫通孔３１ｅは、それぞれサポート脚３１の幅方向に貫通するように形成されている。
【００２８】
図６に示すように、上側取付金具４０は、支柱２０を長手方向と交差する方向から挟むように配置される第１部材４１及び第２部材４２と、第１部材４１及び第２部材４２を、支柱２０を挟む方向に締め付ける締め付け部材４３とを備えている。「支柱２０を挟む方向」とは、図６に示す支柱２０の幅方向であり、第１部材４１及び第２部材４２が支柱２０をその幅方向から挟むようになっている。第１部材４１及び第２部材４２は、鋼板等の金属製板材からなるものである。
【００２９】
図６に示すように、第１部材４１は、支柱２０の幅方向一方から支柱２０の一側面（第１側板部２０ｂの外面）に接触するように配置される第１接触板部４１ａと、第１接触板部４１ａから延出する第１被締め付け板部４１ｂとを備えている。第１接触板部４１ａは、支柱２０の第１側板部２０ｂの外面に沿って延びており、第１側板部２０ｂの先端側から突出するように形成されている。第１接触板部４１ａにおける支柱２０の底板部２０ａ側の端部に、上記第１被締め付け板部４１ｂが連続している。第１被締め付け板部４１ｂは、支柱２０の底板部２０ａの厚み方向に突出し、支柱２０の第１側板部２０ｂの外面に対して傾斜している。第１被締め付け板部４１ｂの傾斜方向は、先端側へ行くほど第２側板部２０ｃ側に位置する方向、すなわち、第１被締め付け板部４１ｂと、支柱２０の底板部２０ａとのなす角度が鋭角となる方向である。
【００３０】
第１被締め付け板部４１ｂの先端部には屈曲部４１ｃが形成されている。屈曲部４１ｃは、第１被締め付け板部４１ｂとのなす角度が略直角となるように形成された部分である。
【００３１】
また、第１接触板部４１ａにおける第１被締め付け板部４１ｂ側と反対側の端部には、第１折れ曲がり部４１ｄが形成されている。第１折れ曲がり部４１ｄは、支柱２０の第１側板部２０ｂの先端部を囲むように形成されており、第１折れ曲がり部４１ｄが第１側板部２０ｂの先端部に対して係合するようになっている。
【００３２】
第２部材４２は、支柱２０の幅方向他方から支柱２０の他側面（第２側板部２０ｃの外面）に接触するように配置される第２接触板部４２ａと、第２接触板部４２ａから延出する第２被締め付け板部４２ｂとを備えている。第２接触板部４２ａは、支柱２０の第２側板部２０ｃの外面に沿って延びており、第２側板部２０ｃの先端側から突出するように形成されている。第２接触板部４２ａにおける支柱２０の底板部２０ａ側の端部に、上記第２被締め付け板部４２ｂが連続している。第２被締め付け板部４２ｂは、支柱２０の底板部２０ａの厚み方向に突出し、支柱２０の第２側板部２０ｃの外面に対して傾斜した第１傾斜板部４２ｅと、第１被締め付け板部４１ｂに沿う方向に延びるように形成された第２傾斜板部４２ｆとを備えている。
【００３３】
第１傾斜板部４２ｅの傾斜方向は、先端側へ行くほど第１側板部２０ｂ側に位置する方向、すなわち、第１傾斜板部４２ｅと、支柱２０の底板部２０ａとのなす角度が鋭角となる方向である。第２傾斜板部４２ｆは、第１側板部２０ｂの先端部と連続するように形成されており、支柱２０の底板部２０ａに達するまで延びている。第１傾斜板部４２ｅと、第２傾斜板部４２ｆの境界部分は略直角に折れ曲がるように形成されており、この境界部分が屈曲部４１ｃの内側に嵌まるようになっている。
【００３４】
第２傾斜板部４２ｆの先端部には屈曲部４２ｃが形成されている。屈曲部４２ｃは、支柱２０の底板部２０ａに接触する。
【００３５】
また、第２接触板部４２ａにおける第２被締め付け板部４２ｂ側と反対側の端部には、第２折れ曲がり部４２ｄが形成されている。第２折れ曲がり部４２ｄは、支柱２０の第２側板部２０ｃの先端部を囲むように形成されており、第２折れ曲がり部４２ｄが第２側板部２０ｃの先端部に対して係合するようになっている。
【００３６】
締め付け部材４３は、ボルト４４とナット部材４５とを備えている。ボルト４４の頭部４４ａは第２傾斜板部４２ｆに固定されている。ボルト４４の軸部４４ｂは、第２傾斜板部４２ｆを厚み方向に貫通するとともに、第１被締め付け板部４１ｂを厚み方向に貫通し、第１被締め付け板部４１ｂから突出している。
【００３７】
ナット部材４５は、ボルト４４の軸部４４ｂに螺合するようになっており、上側取付金具４０の一部を構成する部材である。ナット部材４５をボルト４４の軸部４４ｂに螺合させると、第１部材４１の第１被締め付け板部４１ｂと、第２部材４２の第２傾斜板部４２ｆとが厚み方向に接近し、これにより、第１接触板部４１ａが支柱２０の第１側板部２０ｂの外面に圧接するとともに、第２接触板部４２ａが支柱２０の第２側板部２０ｃの外面に圧接して、支柱２０を幅方向に挟む。このとき、屈曲部４２ｃが支柱２０の底板部２０ａに接触する。
【００３８】
図７に示すように、上側取付金具４０の第２部材４２には、上側支持板４６と、下側支持板４７とが固定されている。上側支持板４６及び下側支持板４７は、上側取付金具４０の一部を構成する部材である。図６に示すように、上側支持板４６は、第１傾斜板部４２ｅの上端部から水平に延びている。下側支持板４７は、第１傾斜板部４２ｅの下端部から上側支持板４６と平行になるように延びている。
【００３９】
図７に示すように、上側支持板４６には、支持ボルト４６ａが上方へ突出するように設けられている。支持ボルト４６ａは上側支持板４６に対して固定されている。図５に示すように、支持ボルト４６ａには、ナット部材５０が螺合するようになっている。ナット部材５０は、上側取付金具４０の一部を構成する部材である。
【００４０】
また、図７に示すように、上側支持板４６には、第１ピン４６ｂと第２ピン４６ｃとが上方へ突出するように設けられている。第１ピン４６ｂと第２ピン４６ｃは、支持ボルト４６ａを挟むように配置されている。支持ボルト４６ａの中心線を対称の中心として第１ピン４６ｂと第２ピン４６ｃは互いに点対称に配置されている。支持ボルト４６ａの上端部は、第１ピン４６ｂ及び第２ピン４６ｃの上端部よりも上に位置している。
【００４１】
下側支持板４７には、支持軸４７ａが上方へ突出するように設けられている。支持軸４７ａは、下側支持板４７に対して固定されている。支持軸４７ａの中心線と、支持ボルト４６ａの中心線とが一致するように、支持ボルト４６ａと支持軸４７ａとの相対的な位置関係が設定されている。
【００４２】
図５に示すように、上側支持板４６及び下側支持板４７には、回動部材４８が取り付けられている。回動部材４８は、上下方向に延びる縦板部４８ａと、縦板部４８ａの上端部から突出する上板部４８ｂと、縦板部４８ａの下端部から突出する下板部４８ｃとを有しており、上側取付金具４０の一部を構成する部材である。上板部４８ｂは、上側支持板４６の上面に重なるように配置され、上側支持板４６によって回動可能に支持されている。図８に示すように、上板部４８ｂの中心部近傍には、ボルト挿通孔４８ｄが上板部４８ｂを上下方向に貫通するように形成されている。ボルト挿通孔４８ｄには、支持ボルト４６ａの軸部分が挿通するようになっている。上板部４８ｂには、ボルト挿通孔４８ｄを囲むように、３つの第１ピン孔４８ｅと、３つの第２ピン孔４８ｆとが上板部４８ｂを上下方向に貫通するように形成されている。第１ピン孔４８ｅに第１ピン４６ｂが挿通され、第２ピン孔４８ｆに第２ピン４６ｃが挿通されるようになっている。
【００４３】
第１ピン孔４８ｅと第２ピン孔４８ｆは、ボルト挿通孔４８ｄの中心線を中心とした同一半径の円上に位置するように形成されている。また、３つの第１ピン孔４８ｅの周方向の間隔と、３つの第２ピン孔４８ｆの周方向の間隔とは同一であり、例えば、３つの第１ピン孔４８ｅをボルト挿通孔４８ｄの中心線回りに４５°おきに設けることができるが、これに限られるものではなく、周方向の間隔が任意に設定することができる。また、第１ピン孔４８ｅと第２ピン孔４８ｆの数は、３つに限られるものではなく、２つであってもよいし、４つ以上であってもよい。
【００４４】
図５に示すように、下板部４８ｃは、下側支持板４７の上面に重なるように配置され、下側支持板４７によって回動可能に支持されている。下板部４８ｃの中心部近傍には、支持軸挿通孔４８ｇが下板部４８ｃを上下方向に貫通するように形成されている。支持軸挿通孔４８ｇの中心線と、ボルト挿通孔４８ｄの中心線とは一致している。支持軸挿通孔４８ｇには、支持軸４７ａが挿通するようになっている。
【００４５】
したがって、ナット部材５０を緩めた後、図５に示す状態から回動部材４８を上に移動させて、第１ピン孔４８ｅから第１ピン４６ｂを抜くとともに第２ピン孔４８ｆから第２ピン４６ｃを抜くと、回動部材４８を支持ボルト４６ａや支持軸４７ａ回りに回動させることが可能になる。サポート脚３１を上下方向に延びる軸回りに回動させる回動機構は、上側支持板４６、下側支持板４７、回動部材４８、支持ボルト４６ａ及び支持軸４７ａによって構成されている。
【００４６】
そして、第１ピン４６ｂと、いずれかの第１ピン孔４８ｅとが一致し、かつ、第２ピン４６ｃと、いずれかの第２ピン孔４８ｆとが一致するまで、回動部材４８を回動させてから、回動部材４８を下に移動させると、第１ピン孔４８ｅに第１ピン４６ｂが入るとともに第２ピン孔４８ｆに第２ピン４６ｃが入り、回動部材４８の回動が阻止される。よって、第１ピン４６ｂ及び第２ピン４６ｃはストッパピンとして機能することになる。この状態でナット５０を締めると回動部材４８が上に移動しなくなるので、第１ピン４６ｂ及び第２ピン４６ｃの抜けが抑制される。第１ピン孔４８ｅ及び第２ピン孔４８ｆをそれぞれ複数設けているので、サポート脚３１を、上下方向に延びる軸回りの回動角度が互いに異なる第１の回動位置と第２の回動位置とのそれぞれで固定することができる。
【００４７】
回動部材４８には、サポート脚３１が固定されるサポート脚固定部材４９が固定されている。サポート脚固定部材４９は、回動部材４８の縦板部４８ａに固定されており、上下方向に長い形状とされている。サポート脚固定部材４９には、サポート脚３１の連結部３１ａが差し込まれる凹部４９ａが下方に開放するように形成されている。サポート脚３１の連結部３１ａがサポート脚固定部材４９の凹部４９ａに差し込まれると、連結部３１ａがサポート脚固定部材４９を構成する部材によって上方及び側方から覆われるようになり、連結部３１ａがサポート脚固定部材４９に対して上方及び側方に相対的に移動しなくなる。一方、凹部４９ａは下方に開放されているので、サポート脚３１を下に移動させることは可能になっており、これにより、サポート脚３１の連結部３１ａを凹部４９ａから抜くことができるようになっている。サポート脚固定部材４９は上側取付金具４０の一部を構成する部材であり、従って、上側取付金具４０に、サポート脚３１の上部が差し込まれる凹部４９ａが形成されることになる。また、図５に示すように、サポート脚固定部材４９の側壁部には貫通孔４９ｂが形成されている。
【００４８】
図１等に示すように、脚立サポート３０のブラケット５１は、サポート脚３１の長手方向中間部に設けられる。また、図３や図４に示すように、脚立サポート３０は、ブラケット５１をサポート脚３１に固定するためのロックピン５２を更に備えている。また、図１等に示すように、開き止めシャフト５３は、ブラケット５１に連結されて支柱２０まで延び、該支柱２０に連結される部材である。
【００４９】
ブラケット５１は、サポート脚３１が長手方向に挿通するように形成されており、サポート脚３１に対して長手方向に相対的に移動可能となっている。ブラケット５１の両側壁部には、ロックピン５２が挿通するロックピン挿通孔５１ａが形成されている。ロックピン挿通孔５１ａは、サポート脚３１の中間下部貫通孔３１ｄ（図４に示す）または下部貫通孔３１ｅ（図３に示す）と一致するように位置付けられている。すなわち、ブラケット５１をサポート脚３１に対して長手方向に相対的に移動させていくと、図３に示すように、ブラケット５１のロックピン挿通孔５１ａと、サポート脚３１の中間下部貫通孔３１ｄとが一致するポイントがあり、この位置では、ロックピン５２をロックピン挿通孔５１ａと中間下部貫通孔３１ｄに差し込むことが可能になる。ロックピン５２を差し込むことで、ブラケット５１とサポート脚３１との相対的な移動が阻止される。また、ロックピン５２を抜いた状態で、ブラケット５１をサポート脚３１に対して長手方向に相対的に移動させていくと、図４に示すように、ブラケット５１のロックピン挿通孔５１ａと、サポート脚３１の下部貫通孔３１ｅとが一致するポイントがあり、この位置では、ロックピン５２をロックピン挿通孔５１ａと下部貫通孔３１ｅに差し込むことが可能になる。この場合も、ブラケット５１とサポート脚３１との相対的な移動が阻止される。
【００５０】
図１０に示すように、ブラケット５１には、開き止めシャフト５３の一端部を連結するための連結部材５１ｂが設けられている。連結部材５１ｂは、開き止めシャフト５３の一端部をブラケット５１に対して水平軸回りに回動可能に連結する。
【００５１】
開き止めシャフト５３の他端部は、下側取付金具６０によって支柱２０に取り付けられている。下側取付金具６０は、上側取付金具４０と同様に、支柱２０を幅方向から挟むように配置される第１部材６１及び第２部材６２と、第１部材６１及び第２部材６２を、支柱２０を挟む方向に締め付ける締め付け部材６３とを備えている。下側取付金具６０の締め付け構造は、上側取付金具４０と同様であることから詳細な説明を省略する。
【００５２】
図９及び図１０に示すように、下側取付金具６０の第２部材６２の上下方向中間部には、支持板６６が水平に延びている。支持板６６には、上方へ突出する支軸６６ａが固定されている。支持板６６の上面には、水平に延びる回動板６７が配置されている。図９に示すように、回動板６７には、支軸６６ａが挿通する貫通孔６７ａが形成されている。貫通孔６７ａに支軸６６ａが挿通された状態で、回動板６７は支持板６６に対して支軸６６ａの中心線回りに回動可能になる。支軸６６ａには、貫通孔６７ａからの抜けを阻止するための抜け止め部材６６ｂが設けられている。
【００５３】
図１０に示すように、支持板６６には、第１固定ピン孔６６ｃと、第２固定ピン孔６６ｄとが形成されている。第１固定ピン孔６６ｃと第２固定ピン孔６６ｄは、支軸６６ａの中心線を中心とした同一半径の円上に位置するように形成されている。
【００５４】
図９に示すように、回動板６７には、上下方向に延びる筒部材６９が固定されている。筒部材６９には、フック付きピン６８が差し込み可能になっている。フック付きピン６８は、軸部６８ａと、フック６８ｂとを備えており、軸部６８ａは、筒部材６９に差し込まれた状態で回動板６７を貫通して下方へ突出するようになっている。軸部６８ａの先端側が第１固定ピン孔６６ｃまたは第２固定ピン孔６６ｄに差し込まれるようになっている。図９及び図１０では、フック付きピン６８が第２固定ピン孔６６ｄに差し込まれた状態を示しており、これにより、回動板６７が支持板６６に対して回動不能になる。図示しないが、フック付きピン６８を抜いた状態で回動板６７を回動させ、フック付きピン６８の軸部６８ａと第１固定ピン孔６６ｃとが一致すると、軸部６８ａを第１固定ピン孔６６ｃに差し込むことができ、これにより、回動板６７が支持板６６に対して回動不能になる。この実施形態では、図７及び図８に示すように、第１ピン孔４８ｅに第１ピン４６ｂが入り、第２ピン孔４８ｆに第２ピン４６ｃが入った状態で、図１０に示すように、フック付きピン６８を第２固定ピン孔６６ｄに差し込むことができるように、第１ピン孔４８ｅ、第２ピン孔４８ｆ及び第２固定ピン孔６６ｄの位置を設定している（図２に仮想線で示す）。
【００５５】
また、図２に実線で示すように、回動板６７を回動させてフック付きピン６８を第１固定ピン孔６６ｃに差し込むと、別の第１ピン孔４８ｅに第１ピン４６ｂが入るとともに、別の第２ピン孔４８ｆに第２ピン４６ｃが入るようになっている。つまり、回動部材４８及び回動板６７は、開き止めシャフト５３及びサポート脚３１を介して互いに連結された状態にあるので、回動部材４８及び回動板６７が共に同方向に回動して所定の回動位置にあるときに、回動部材４８及び回動板６７の回動を阻止することができるようになっている。
【００５６】
図９及び図１０に示すように、回動板６７には、上方へ突出する２つの突出板部６７ｂが設けられている。図１０に示すように、開き止めシャフト５３は２本に分岐しており、そのうちの１本が一方の突出板部６７ｂに対して支軸６７ｃにより回動可能に取り付けられ、別の１本が他方の突出板部６７ｂに対して支軸６７ｃにより回動可能に取り付けられている。支軸６７ｃは、開き止めシャフト５３の一端部の回動中心線と平行に延びる軸である。従って、図３に示す状態から図４に示す状態となるまで、開き止めシャフト５３を回動させることが可能になる。
【００５７】
（脚立サポートの格納）
図３は、使用可能状態にある脚立サポート３０を示しており、また、図４は、格納状態にある脚立サポート３０を示している。サポート脚３１をブラケット５１に対して相対的に移動させて、図５に示すようにサポート脚３１の連結部３１ａをサポート脚固定部材４９の凹部４９ａに差し込むと、図３に示す使用可能状態になる。このとき、ロックピン５２をブラケット５１のロックピン挿通孔５１ａとサポート脚３１の中間下部貫通孔３１ｄに差し込むことで、サポート脚３１が凹部４９ａから抜け出ないように固定される。
【００５８】
一方、図４に示すように、サポート脚３１のロックを解除してサポート脚３１の連結部３１ａをサポート脚固定部材４９の凹部４９ａから抜いた後、サポート脚３１をブラケット５１に対して相対的に移動させて支柱２０と平行に配置することができる。このとき、ロックピン５２をブラケット５１のロックピン挿通孔５１ａとサポート脚３１の下部貫通孔３１ｅに差し込むことで、サポート脚３１がブラケット５１に対して固定される。また、別のロックピン５５を、サポート脚固定部材４９の貫通孔４９ｂとサポート脚３１の中間上部貫通孔３１ｃに差し込むことで、サポート脚３１がサポート脚固定部材４９に対して固定される。
【００５９】
尚、サポート脚３１は上述したロックピン５２による固定に限定されるものではなく、例えば、株式会社イマオコーポレーション製のダブルサイドボールプランジャー（図示せず）のような部材を用いて固定するようにしてもよい。ダブルサイドボールプランジャーは、筒状本体と、筒状本体の両端部からそれぞれ突出するように、当該筒状本体に保持された２つのボールと、各ボールを筒状本体の両端部から突出する方向に付勢するコイルバネとを備えている。この場合、ダブルサイドボールプランジャーの筒状本体をサポート脚３１に取り付けておき、ダブルサイドボールプランジャーのボールが、サポート脚固定部材４９の凹部４９ａの内面に嵌まるように、当該凹部４９ａの内面に窪みを設けておけばよい。ブラケット５１に対する固定も同様である。
【００６０】
（脚立サポートの使用要領）
次に、上記のように構成された脚立サポート３０の使用要領について説明する。脚立サポート３０は、上側取付金具４０の締め付け部材４３を緩めるとともに、下側取付金具６０の締め付け部材６３を緩めることにより、汎用の脚立１の支柱２０に簡単に取り付けることができる。
【００６１】
取付後、図３に示すように、脚立サポート３０を使用可能状態にする。また、上側取付金具４０の締め付け部材４３を緩めるとともに、下側取付金具６０の締め付け部材６３を緩めて、脚立サポート３０の支柱２０に対する位置（取付高さ）を調整する。サポート脚３１の下端部が支柱２０の下端部と同じ高さであってもよいし、サポート脚３１の下端部が支柱２０の下端部より高くてもよいし、サポート脚３１の下端部が支柱２０の下端部より低くてもよく、脚立１の設置場所に応じて設定することができる。
【００６２】
また、図２に示すように、平面視においてサポート脚３１を回動させることにより、実線で示す位置や仮想線で示す位置に配置することができる。サポート脚３１の位置も脚立１の設置場所に応じて設定することができる。
【００６３】
（実施形態の作用効果）
以上説明したように、この実施形態に係る脚立サポート３０によれば、上側取付金具４０及び下側取付金具６０が、脚立１の支柱２０を挟む第１部材４１、６１及び第２部材４２、５３と、これらを締め付ける締め付け部材４３、６３とを備えているので、脚立サポート３０を脚立１の支柱２０に対して簡単に、かつ、高さ変更自在に取り付けることができる。
【００６４】
また、サポート脚３１を上下方向に延びる軸回りに回動させることで、作業状況や作業場所に応じてサポート脚３１の位置を変更することができる。回動後、サポート脚３１を固定することができるので、安全性を高めることができる。
【００６５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６６】
以上説明したように、本発明に係る脚立サポートは、例えば、はしごや脚立の支柱に取り付けて使用することができる。
【符号の説明】
【００６７】
１            脚立
２０          支柱
３０          脚立サポート
４０          取付金具
４１          第１部材
４１ａ        第１接触板部
４１ｂ        第１被締め付け板部
４２          第２部材
４２ａ        第２接触板部
４２ｂ        第２被締め付け板部
４３          締め付け部材
４９          サポート脚固定部材
４９ａ        凹部
５１          ブラケット
５２          ロックピン
５３          開き止めシャフト
【図１】
2020016034.tif 000003
【図２】
2020016034.tif 000004
【図３】
2020016034.tif 000005
【図４】
2020016034.tif 000006
【図５】
2020016034.tif 000007
【図６】
2020016034.tif 000008
【図７】
2020016034.tif 000009
【図８】
2020016034.tif 000010
【図９】
2020016034.tif 000011
【図１０】
2020016034.tif 000012